【手続補正書】
【提出日】平成19年9月27日(2007.9.27)
【手続補正１】
【補正対象書類名】明細書
【補正対象項目名】全文
【補正方法】変更
【補正の内容】
【書類名】      明細書
【発明の名称】  冷蔵庫
【特許請求の範囲】
【請求項１】  冷却器と、この冷却器で冷却され送風機によって送風される冷気を庫
内に導く冷気送風ダクトと、制御基板を収容する制御基板収容部とを、冷蔵庫本体背面の
奥壁部に配設してなる冷蔵庫において、上記冷気送風ダクトを上記制御基板収容部の左右
両側の奥壁部にそれぞれ配設してなることを特徴とする冷蔵庫。
【請求項２】  冷却器と、この冷却器で冷却され送風機によって送風される冷気を庫内に導く冷気送風ダクトと、制御基板を収容する制御基板収容部とを、冷蔵庫本体背面の奥壁部に配設してなる冷蔵庫において、上記制御基板収容部と上記冷気送風ダクトとを、上記冷蔵庫本体背面奥壁部において、上記冷蔵庫の奥行き方向に対して前後に重ならないようにずらして配設してなることを特徴とする冷蔵庫。
【請求項３】  冷気送風ダクトは、奥壁部内壁を形成する内箱の両側部に上下方向に延びて形成された内箱凹部と、この内箱凹部の前面部に配設されたダクトカバーとによって形成されてなることを特徴とする請求項１または２記載の冷蔵庫。
【請求項４】  冷気送風ダクトは、送風機の下流側に設けられた分岐部で分岐され２風路に形成されてなることを特徴とする請求項１乃至３記載の冷蔵庫。
【請求項５】  冷却器と、この冷却器で冷却され送風機によって送風される冷気を庫内に導く冷気送風ダクトと、制御基板を収容する制御基板収容部とを、冷蔵庫本体背面の奥壁部に配設してなる冷蔵庫において、上記冷却器と上記制御基板収容部とを上記奥壁部の略水平方向に並設してなることを特徴とする冷蔵庫。
【発明の詳細な説明】
【０００１】
【発明の属する技術分野】
この発明は、冷蔵庫に関し、特に冷気を庫内に導く風路と制御基板収容部の配設構造に関するものである。
【０００２】
【従来の技術】
図８、及び図９は、例えば特開平５−１４１８４０号公報に記載された従来の冷蔵庫を示すもので、図８は庫内側から見た奥壁部における冷却室と送風ダクトの配置を示す要部正面図、図９は該冷蔵庫の側面縦断面図である。図において、１は外箱、２は内箱、３はこれら外箱１と内箱２の間に充填された発泡性ウレタンなどからなる断熱材である。４は内箱２の内部を上下に区画する仕切壁、５はこの仕切壁４の上方に区画された冷蔵室、６は仕切壁４の下方に区画された冷凍室である。７は冷凍室６の背面側に設けられた冷却器室であり、内部に冷却器８と冷気循環用の送風機９が配置されている。
【０００３】
１０は冷蔵室５の背面側に設けられた奥壁部２０の内部に配置された冷気送風ダクト、１１は冷気送風ダクト１０の前面を覆うダクトカバーで、冷蔵室５への冷気吹出口１２が複数設けられている。また、１３は冷蔵室５の背面の奥壁部２０の外側に配置された制御基板収容部、１３ａはこの制御基板収容部１３に収容された制御基板、１４は冷蔵室５内に吹出した冷気を冷却器室７に導く冷蔵室吸込ダクト、１５は冷蔵室５内に複数設けられた棚、Ａは冷蔵室５の奥壁部２０の奥行寸法である。
【０００４】
以上のように構成された従来の冷蔵庫において、冷却器８で冷却された冷気が送風機９により、冷気送風ダクト１０を通って冷気吹出口１２から冷蔵室５内に吹出して冷蔵室５内を冷やし、冷蔵室吸込ダクト１４を通って冷却器室７に戻り、冷却器８で冷却されて再び冷気送風ダクト１０に送風され、循環することによって庫内を冷却している。なお、詳細な図示及び説明を省略するが、冷凍室６についても送風機９で送風された冷却空気の一部を冷凍室６内に送風、循環することによって冷却が行われている。
【０００５】
【発明が解決しようとする課題】
上記のような従来の冷蔵庫においては、冷気送風ダクト１０と制御基板収容部１３とが奥壁部２０の前後方向（奥行方向）に重なる形で配置されているため、図９に示す奥壁部２０の前後方向の奥行寸法Ａが大きくなり、その分、冷蔵室５の有効な奥行寸法が小さくなり、冷蔵室５の容積が十分に確保できないという課題があった。
【０００６】
また、冷蔵庫の前後方向に狭くなるため、冷蔵室５に複数設備される棚１５の載置面積が狭まると共に、上下方向に部分的に狭くなるため、棚１５の寸法が異なるものを用意しなければならないといった課題もあった。
【０００７】
この発明は上記のような従来技術の課題を解消するためになされたもので、庫内の奥行きを増やし、容積効率を向上させた冷蔵庫を提供することを目的とするものである。
【０００８】
【課題を解決するための手段】  請求項１の修正に対応
この発明に係る冷蔵庫は、冷却器と、この冷却器で冷却され送風機によって送風される冷気を庫内に導く冷気送風ダクトと、制御基板を収容する制御基板収容部とを、冷蔵庫本体背面の奥壁部に配設してなる冷蔵庫において、上記冷気送風ダクトを上記制御基板収容部の左右両側の奥壁部にそれぞれ配設してなるものである。
【０００９】  また、上記制御基板収容部と上記冷気送風ダクトとを、上記冷蔵庫本体背面奥壁部において、上記冷蔵庫の奥行き方向に対して前後に重ならないようにずらして配設してなるものである。
【００１０】
また、冷気送風ダクトは、奥壁部内壁を形成する内箱の両側部に上下方向に延びて形成された内箱凹部と、この内箱凹部の前面部に配設されたダクトカバーとによって形成されてなるものである。
【００１１】
また、冷気送風ダクトは、送風機の下流側に設けられた分岐部で分岐され２風路に形成されてなるものである。
【００１２】
さらに、冷却器と、この冷却器で冷却され送風機によって送風される冷気を庫内に導く冷気送風ダクトと、制御基板を収容する制御基板収容部とを、冷蔵庫本体背面の奥壁部に配設してなる冷蔵庫において、上記冷却器と上記制御基板収容部とを上記奥壁部の略水平方向に並設してなるものである。
【００１３】
【発明の実施の形態】
実施の形態１．
図１ないし図４はこの発明の実施の形態１になる冷蔵庫を示すもので、図１は庫内側から見た背面の奥壁部の送風ダクトと制御基板収容部の配置を模式的に示す正面図、図２は図１の冷蔵庫の側面縦断面図、図３は図１のＩＩＩ−ＩＩＩ線に沿う矢視断面図、図４は図３のＩＶ−ＩＶ線に沿う矢視断面図である。図において、冷蔵庫の筐体は外箱１、内箱２、及び外箱１と内箱２の間に充填された発泡性ウレタンからなる断熱材３によって形成されている。４と４１は上下２段に設けられた仕切壁であり、上部に冷蔵室５、中央部に野菜室１６、下部に冷凍室６を形成するように庫内を３つの区画に区分している。
【００１４】
制御基板収容部１３は、冷蔵室５の奥壁部２０を形成する外箱１の背面中央部上方に凹部を形成することにより設けられ、その内部に制御基板１３ａが収容、固定されている。なお、制御基板１３ａに接続された配線類等は図示を省略している。冷気送風ダクト１０は、冷蔵室５の奥壁部２０を形成する内箱２の上記制御基板収容部１３の両側部に上下方向に延びてそれぞれ形成された内箱凹部２ａと、この内箱凹部２ａの前面部を覆うように配設されたダクトカバー１１によって形成されている。なお、上記冷気送風ダクト１０は、冷蔵室５の下方部に設けられた分岐部１０ａで上方向に分岐されて左右に各１本、合計２本設けられており、分岐部１０ａは送風機９の下流側の送風路に連通している。
【００１５】
１２は冷気送風ダクト１０にそれぞれ連通して設けられた複数の冷気吹出口であり、ダクトカバー１１に設けられた開口によって形成されている。１７は冷蔵室５内を冷却して温度が上昇した冷気を冷却器８の下部に戻す吸込ダクトであり、冷蔵室５の奥壁部に設けられたダクト開口部１７ａと床面の間口（図示省略）から吸込んだ冷気を、冷却器８の前面部に設けられた断熱材の中を通すように形成されている。１８は冷却器８で冷却された冷気の一部を送風機９によって冷凍室６に導く送風ダクトである。その他の符号は、同一もしくは相当部分に同一符号を付し、説明を省略する。
【００１６】
次に上記のように構成された実施の形態１になる冷蔵庫の動作について説明する。冷却器８で冷却された冷気の一部は冷気循環用の送風機９により、図示しない開閉機（弁）を通った後、分岐部１０ａで２分流され矢印Ｌのように進み、２本の冷気送風ダクト１０を通って複数の冷気吹出口１２から冷蔵室５内にそれぞれ吹出される。冷蔵室５内を冷却した冷気は吸込ダクト１７を通って冷却器８の下部に戻り、再び冷却されて庫内を循環する。なお、野菜室１６、及び冷凍室６についても、それぞれ専用に設けられたダクト（一部もしくは全部図示省略）を通じて送風機９によって送風される冷却風の一部を送風、循環しているが、発明に直接関係しない従来装置と同様な部分であるので、詳細な説明を省略する。
【００１７】
実施の形態１になる冷蔵庫は上記のように構成され、制御基板収容部１３と冷気送風ダクト１０とが冷蔵庫の背面奥壁部において前後方向に重ならないようにずらして配設したため、冷気送風ダクト１０を冷蔵室５の奥壁部２０に風路面積を保持して効率良く配置でき、図９に示す風路構成に必要な奥行寸法Ａに相当する寸法を、図３に示す奥行寸法Ｃ（Ｃ＜Ａ）のように薄くできることにより、冷蔵室５の有効奥行寸法が増加し、冷蔵室５の有効内容積を増加させることができる。したがって棚１５の物品載置可能面積を増加させることができる。また、冷気通過部である冷気送風ダクト１０が内箱凹部２ａにより構成できるため、製造も簡単である。
【００１８】
さらに、冷気送風ダクト１０を冷蔵室５の奥壁部２０にほぼ垂直に配置したことにより、冷蔵室５に複数段配置される棚１５の奥行を揃えることができ、部品の共通化が図れ、安価な冷蔵庫を提供できる。また、２つの冷気送風ダクト１０が左右方向に離れて配設されているため、庫内をより均一に冷すことができる。
【００１９】
また、冷気を通過させる冷気送風ダクト１０が内箱凹部２ａにダクトカバー１１にて蓋をするという簡単な構成にて形成できるため、ダクトの構成に発泡プラスチックを用いるものに比べて、材料の削減が図れ、冷蔵庫を安価に提供できる。
【００２０】
また、制御基板１３ａは発熱体であるため、制御基板収容部１３は冷蔵庫背面の側でも、例えば−１８℃程度以下に冷却される冷凍室６の背面部を避け、運転時の冷却温度が比較的高く設定されている例えば冷蔵室（３℃程度）あるいは野菜室（５℃程度）などの背部に設けることが好ましい。実施の形態１では、冷蔵室の背部外側に配置されていることにより、熱漏れの影響も小さく、放熱性を高めることができ、エネルギー効率を向上できる。さらに、外部から制御基板１３ａの取り付け、取外しが可能となり、組立て性、サービス性に優れるという特長もある。
【００２１】
実施の形態２．
図５は実施の形態２になる冷蔵室の庫内側から見た奥壁部の送風ダクトと制御基板収容部等の配置を模式的に示す正面図である。図において、８１は冷凍室６の後部に配設された冷凍室用冷却器、９１は冷凍室用冷却器８１によって冷却された冷気を冷凍室６に送風する冷凍室用送風機である。なお、詳細は図示を省略しているが、冷凍室用冷却器８１によって冷却された冷気は、冷凍室用送風機９１によって冷凍室６に送風、循環され、冷蔵室用の冷却器８を含む冷気循環系とは風路が互いに独立して形成されている。それ以外の構成は、上記実施の形態１に示す冷蔵庫と同様である。
【００２２】
上記冷蔵庫においては、冷凍室６に対する冷気の循環と、冷蔵室５及び野菜室１６に対する冷気の循環が互いに独立に行われる他は、上記実施の形態１の冷蔵庫と同様に動作する。
【００２３】
上記のように構成された実施の形態２によれば、実施の形態１と同様、冷蔵室５の有効奥行寸法を大きくすることができるなどの効果が得られ、加えて、冷蔵室５と野菜室１６を冷却する冷気循環系と、それより低温な冷気を循環させる冷凍室６の風路系とが互いに独立しているため、図１に示す冷蔵室５からの吸込ダクト１７と、冷凍室６への送風ダクト１８とを、野菜室１６の奥壁部内で前後方向に立体的に交叉させる必要がないので、風路の構造が簡単であり、野菜室の有効奥行寸法を大きくでき、断熱材の使用量を削減できるなどの効果が得られる。
【００２４】
実施の形態３．
図６及び図７は実施の形態３になる冷蔵庫を示すもので、図６は庫内側から見た奥壁部の送風ダクトと制御基板収容部等の配置を模式的に示す正面図、図７は図６のＶＩＩ−ＶＩＩ線に沿う矢視断面平面図である。図において、８は野菜室１６の奥壁部断熱材の内部に設けられた冷却器であり、この実施例では図の正面から見て左半部に寄せて配設されている。１３は野菜室１６の奥壁部に設けられた制御基板収容部であり、この実施例では図の正面から見て右半部に寄せて、冷却器８に断熱材３を介して略水平方向（左右方向）に並設される形で配設されており、外箱１の背面側所定部に凹部を形成するように設けられている。１７は冷蔵室５の奥壁部のダクト開口部１７ａから冷気を吸い込み、冷却器８の下部に戻すように導く吸込ダクトであり、冷却器８の前面部に設けられた断熱材の中を、冷凍室６への送風ダクト１８と立体的に交叉させることなく形成されている。その外の構成は上記実施の形態１と同様である。
【００２５】
上記のように構成された実施の形態３に係る冷蔵庫において、冷蔵室５の奥壁部２０には制御基板収容部１３を設けていないので、図３に示す奥壁部２０の奥行寸法Ｃは実施の形態１と同等、もしくは更に小さくすることもできる。さらに、野菜室１６の奥壁部に冷却器８と制御基板収容部１３を正面から見て略水平方向（左右方向）に並設するように設けたので、野菜室１６の奥行きを狭めることなく、従来と同レベルに保持したまま制御基板収容部１３を構成できる。なお、冷却器８と制御基板収容部１３とは、位置を左右方向に逆にしても差し支えない。
【００２６】
以上のように、実施の形態３によれば、実施の形態１と同様、冷蔵室５の奥行寸法を増大させることができ、したがって冷蔵室５の内容積を増加させることができる効果が得られる。また、棚１５の物品載置可能面積を増加させることができるなどの効果も同様に得ることができる。さらに、この実施例では吸込ダクト１７と送風ダクト１８を前後方向に立体的に交叉させていないので、ダクトの構成が簡単であり、奥壁部２０の壁厚が厚くなることもない冷蔵庫を提供できる効果がある。
【００２７】
ところで、上記実施の形態１〜３においては、冷蔵室５が上部に配置され、制御基板収容部１３が上部または中央部に配置された形態について説明したが、これらに限定されるものではない。例えば、冷蔵室と野菜室が中央部及び下部に配置され、冷凍室が上部に配置された形態においても、実質的に実施の形態１〜３と同様の効果が得られる。また、仕切壁を２つ設けたもの、即ち仕切壁４、及び仕切壁４１を設けた例について説明したが、これに限定されず、仕切壁がないもの、即ち冷蔵専用、あるいは冷凍専用のもの、さらには仕切壁を３つ以上設けたものでも同様の効果が期待できる。
【００２８】
また、断面図における断熱材の厚さ等は、必ずしも実際の寸法に比例するものではないことは当然である。冷却器８、送風機９のまわりの風路構成も上記実施の形態のものに限定されるものではない。
【００２９】
【発明の効果】  以上のように、この発明の冷蔵庫は、冷気送風ダクトを上記制御基板収容部の左右両側の奥壁部にそれぞれ配設したことにより、庫内の有効奥行寸法を増加でき、容積効率を向上させた冷蔵庫を提供することができる。
【００３０】  また、制御基板収容部と冷気送風ダクトとを、冷蔵庫本体背面奥壁部において、冷蔵庫の奥行き方向に対して前後に重ならないようにずらして配設したことにより、冷蔵室の有効奥行寸法を増加でき、容積効率を向上させた冷蔵庫を提供することができる。
【００３１】
また、冷却器と制御基板収容部とを奥壁部に略水平方向に並設するように設けたことにより、庫内の有効奥行寸法を増加でき、容積効率を向上させた冷蔵庫を提供することができる。
【図面の簡単な説明】
【図１】  この発明の実施の形態１における冷蔵庫の庫内側から見た奥壁部の送風ダクトと制御基板収容部等の配置を模式的に示す正面図。
【図２】  図１の冷蔵庫の側面縦断面図。
【図３】  図１のＩＩＩ−ＩＩＩ線に沿う矢視断面図。
【図４】  図１のＩＶ−ＩＶ線に沿う矢視断面図。
【図５】  この発明の実施の形態２に係る冷蔵室の庫内側から見た奥壁部の送風ダクトと制御基板収容部等の配置を模式的に示す正面図。
【図６】  この発明の実施の形態３に係る冷蔵室の庫内側から見た奥壁部の送風ダクトと制御基板収容部等の配置を示す正面図。
【図７】  図６のＶＩＩ−ＶＩＩ線に沿う矢視断面平面図。
【図８】  従来の冷蔵庫の庫内側から見た冷却室と送風ダクトの配置を示す要部正面図。
【図９】  従来の冷蔵庫の側面縦断面図。
【符号の説明】
２  内箱、
２ａ  内箱凹部、
３  断熱材、
４、４１  仕切壁
５  冷蔵室、
８  冷却器、  ８１  冷凍室用冷却器、
９  送風機、  ９１  冷凍室用送風機、
１０  冷気送風ダクト、  １０ａ  分岐部、
１１  ダクトカバー、
１２  冷気吹出口、
１３  制御基板収容部、
１３ａ  制御基板、
１４  冷蔵室吸込ダクト、
２０  奥壁部、